(57)【要約】【課題】ロールペーパー（トイレ用・キッチン用、等）を箱の中に収納し、ティッシュペーパーのように部屋に置いても抵抗なく、衛生上、機能上、デザイン上優れた、そして使用する際に軽快な、いつまでも重宝される、ロールペーパーボックスを提供する。【解決手段】箱本体（１）に、開閉できる連結された上蓋（３）と右蓋（５）を番軸（２）で接続し、箱本体（１）の左面（８）内側にロールペーパー（トイレ用・キッチン用、等）の芯を嵌め込む回転軸（９）を設け、引き出し口（１２）から引き出したペーパーを上蓋（３）の前面側に歪曲した、紙を切断できる鋭利な先端をもつ刃（１３）を取り付けることを特徴とする。【選択図】図２
2004313558.tif 000002
【特許請求の範囲】
【請求項１】
ロールペーパー（トイレ用・キッチン用、等）を箱の中に収納することにより、部屋に置いて、従来のティッシュペーパーと同じように使用できるようにする。
【発明の詳細な説明】
【０００１】
【発明が属する技術分野】
本発明はロールペーパー（トイレ用・キッチン用、等）を収納できる箱に関するものである。
【０００２】
【従来の技術】
従来、部屋で使用する箱型ティッシュは折り畳んだ積み重ねた紙によって構成されており、ロールペーパー（トイレ用・キッチン用、等）を部屋で使用する場合、裸のままであった。
【０００３】
【発明が解決しようとする課題】
これには次のような欠点があった。
（イ）ロールペーパー（トイレ用・キッチン用、等）を裸のまま使用するには、部屋を彩るインテリアとして見映えが悪い。
（ロ）ロールペーパー（トイレ用・キッチン用、等）を裸のまま部屋に放置しておくと、転がったり倒れたり、またはロールが解けたりして機能的ではない。
（ハ）いちどきに大量の紙が必要な場合、裸のままロールを解くと、両手を使うなど、不便であった。
（ホ）従来のティッシュは、引き出した使用量が限定されていた。
【０００４】
【課題を解決するための手段】
箱本体（１）に回転する番軸（２）で接続した上蓋（３）を取り付け、上蓋（３）に回転する番軸（４）で右蓋（５）を取り付ける。上蓋（３）と右蓋（５）の本体との隅の設置面に、それぞれ接着用の鉄板（６）を取り付ける。箱本体に接着用の鉄板（６）を接着する磁石（７）を取り付ける。箱本体の左面（８）内側にロールペーパー（トイレ用・キッチン用、等）の芯を嵌め込む回転軸（９）を設け、ロールペーパー（トイレ用・キッチン用、等）の幅が回転軸（９）より短いような場合、移動防止用の止め具（１０）を設置可能にする。ロールペーパー（トイレ用・キッチン用、等）は、箱本体（１）の全面上部を細長く開けた口（１１）から引き出せるようにし、必要な量を引き出してから上蓋（３）の全面側に歪曲して全面上部を細長く開けた口（１１）を覆うようにして張り出した鋭利な先端（１２）によって切断できるようにした。尚、箱蓋の開閉を円滑にするため右蓋（５）の下部に引っ掛け持ち手（１３）を付けた。
本発明は、以上のような構成よりなる、保存用ロールペーパーボックスである。
【０００５】
【発明の実施の形態】
以下、本発明の実施例について説明する。
（イ）ロールペーパー（トイレ用・キッチン用、等）が収納できる箱本体（１）に、回転する番軸（２）で上蓋（３）を接続する。
（ロ）上蓋（３）に回転する番軸（４）で接続された右蓋（５）を接続する。
（ハ）上蓋（３）と右蓋（５）のそれぞれ右先端２ケ所に、本体と接着させる鉄板（６）を取り付ける。
（ニ）箱本体に、上蓋（３）と右蓋（５）を接着させるための磁石（７）を取り付ける。
（ホ）箱本体（１）の左面（８）内側にロールペーパー（トイレ用・キッチン用、等）の芯を嵌め込む回転軸（９）を設ける。
（ヘ）ロールペーパー（トイレ用・キッチン用、等）の幅が回転軸（９）より短い場合など、移動防止用の止め具（１０）を設置可能にする。
（ト）箱本体（１）の前面（１１）上部を横に細長く開けて、ペーパーを引き出す口（１２）にする。
（チ）上蓋（３）の前面側に、引き出し口（１２）を覆うようにして、鋭利な先端をもつ刃（１３）を取り付ける。
（リ）右蓋（５）の下部に引っ掛け持ち手（１３）を取り付ける。
本発明は以上のような構造で、箱本体（１）にロールペーパー（トイレ用・キッチン用、等）を収納するときには、引っ掛け持ち手（１３）を持ち、上に引き上げ、回転軸（９）にロールペーパー（トイレ用・キッチン用、等）の芯の空洞を嵌め込む。
箱本体に取り付けた磁石（７）と上蓋（３）と右蓋（５）のそれぞれ右先端２ヶ所に取り付けた鉄板（６）を接着する。
ロールペーパー（トイレ用・キッチン用、等）の幅が回転軸（９）より短い場合、移動防止用の止め具（１０）を取り付ける。
箱本体（１）の前面（１１）上部を横に細長く開けた口よりペーパーを引き出し、上蓋（３）の前面側に取り付けた鋭利な先端をもつ刃（１３）で、引き出したペーパーを切断する。
【０００６】
【発明の効果】
これには次のような効果がある。
（イ）ロールペーパー（トイレ用・キッチン用、等）を収納し、従来のティッシュペーパーと同じように、トイレ・キッチン以外の部屋で使用できる。
（ロ）ロール式なので、いちどきに多量の紙を必要としたとき、瞬時に滞りなく円滑に紙を引き出すことができる。
（ハ）ロール式なので、微少の紙を必要としたとき、必要以上の量の紙を引き出す必要がない。
（ニ）箱の外装に工夫を凝らせば、部屋のインテリアとして彩りを添えることができる。
（ホ）ロール状の紙を転がしたり倒したりすることから守る。
（ヘ）ロールペーパー（トイレ用・キッチン用、等）を収納できるので、埃や汚れから守り、衛生的である。
本発明は、これらの効果をもたらすものである。
【図面の簡単な説明】
【図１】本発明の斜視図である。
【図２】本発明の使用例透視斜視図である。
【符号の説明】
１  箱本体
２  回転番軸
３  上蓋
４  回転番軸
５  右蓋
６  接着用鉄板
７  接着用磁石
８  左面
９  ロール嵌め込み回転軸
１０  移動防止止め具
１１  ロール引き出し口
１２  引き出し口覆い先端（刃）
１３  引っ掛け持ち手
１４  ロールペーパー（トイレ用・キッチン用、等）
【図１】
2004313558.tif 000003
【図２】
2004313558.tif 000004
【手続補正書】
【提出日】平成15年5月2日(2003.5.2)
【手続補正２】
【補正対象書類名】明細書
【補正対象項目名】０００５
【補正方法】変更
【補正の内容】
【０００５】
【課題を解決するための手段】
箱本体（１）に回転する番軸（２）で接続した上蓋（３）を取り付け、上蓋（３）に回転する番軸（４）で右蓋（５）を取り付ける。上蓋（３）と右蓋（５）の本体との隅の設置面に、それぞれ接着用の鉄板（６）を取り付ける。箱本体に接着用の鉄板（６）を接着する磁石（７）を取り付ける。箱本体の左面（８）内側にロールペーパー（トイレ用・キッチン用、等）の芯を嵌め込む回転軸（９）を設け、ロールペーパー（トイレ用・キッチン用、等）の幅が回転軸（９）より短いような場合、移動防止用の止め具（１０）を設置可能にする。ロールペーパー（トイレ用・キッチン用、等）は、箱本体（１）の全面上部を細長く開けた口（１１）から引き出せるようにし、必要な量を引き出してから上蓋（３）の全面側に歪曲して全面上部を細長く開けた口（１１）を覆うようにして張り出した鋭利な先端（１２）によって切断できるようにした。尚、箱蓋の開閉を円滑にするため右蓋（５）の下部に引っ掛け持ち手（１３）を付けた。
本発明は、以上のような構成よりなる、家具調ロールペーパーボックスである。